(57)【要約】パケット受信装置は受信したデータの復号処理が完了する前に次のデータの送信を許可するか否かを示す第１の識別信号と、上記復号処理が完了したのち当該復号が成功したか否かを示す第２の識別信号をパケット送信装置に送信し、パケット送信装置は当該第１の識別信号及び第２の識別信号に応じてパケット送信を制御する。
2002065734.tif 000002
【特許請求の範囲】
【請求項１】
データをパケット受信装置に送信する送信手段と、上記パケット受信装置から送信される第１の識別信号を受信し、その第１の識別信号が次データの送信を許可する旨を示す場合には次データの送信を上記送信手段に指示し、その第１の識別信号が次データの送信を拒否する旨を示す場合には当該データの再送を上記送信手段に指示する第１の制御手段と、上記パケット受信装置から送信される第２の識別信号を受信し、その第２の識別信号が復号成功を示す場合には当該データを廃棄し、その第２の識別信号が復号失敗を示す場合には当該データの再送を上記送信手段に指示する第２の制御手段とを備えたパケット送信装置。
【請求項２】
パケット送信装置から送信されるデータを受信する受信手段と、上記受信手段により受信されたデータを復号する復号手段と、上記復号手段による復号処理が完了する前に次データの送信を許可するか否かを示す第１の識別信号を上記パケット送信装置に送信し、上記復号手段による復号処理が完了したのち当該復号が成功したか否かを示す第２の識別信号を上記パケット送信装置に送信する識別信号生成手段とを備えたパケット受信装置。
【請求項３】
データを送信する送信手段と、上記送信手段から送信されるデータを受信する受信手段と、上記受信手段により受信されたデータを復号する復号手段と、上記復号手段による復号処理が完了する前に次データの送信を許可するか否かを示す第１の識別信号を送信し、上記復号手段による復号処理が完了したのち当該復号が成功したか否かを示す第２の識別信号を送信する識別信号生成手段と、上記識別信号生成手段から送信される第１の識別信号を受信し、その第１の識別信号が次データの送信を許可する旨を示す場合には次データの送信を上記送信手段に指示し、その第１の識別信号が次データの送信を拒否する旨を示す場合には当該データの再送を上記送信手段に指示する第１の制御手段と、上記識別信号生成手段から送信される第２の識別信号を受信し、その第２の識別信号が復号成功を示す場合には当該データを廃棄し、その第２の識別信号が復号失敗を示す場合には当該データの再送を上記送信手段に指示する第２の制御手段とを備えたパケット伝送システム。
【請求項４】
識別信号生成手段は、受信手段によるデータの受信結果に基づいて第１の識別信号を生成することを特徴とする請求の範囲第２項記載のパケット受信装置。
【請求項５】
識別信号生成手段は、受信手段により受信されたデータの品質情報に基づいて第１の識別信号を生成することを特徴とする請求の範囲第２項記載のパケット受信装置。
【請求項６】
識別信号生成手段は、復号手段による復号の途中結果に基づいて第１の識別信号を生成することを特徴とする請求の範囲第２項記載のパケット受信装置。
【請求項７】
識別信号生成手段は、復号手段による最終的な復号結果に基づいて第２の識別信号を生成することを特徴とする請求の範囲第２項記載のパケット受信装置。
【請求項８】
識別信号生成手段は、復号手段の復号処理能力を考慮して第１の識別信号の送信を決定することを特徴とする請求の範囲第２項記載のパケット受信装置。
【請求項９】
第１の制御手段は、パケット受信装置が現在復号処理を行うことが可能な状態にある場合に限り、データの送信を指示することを特徴とする請求の範囲第１項記載のパケット送信装置。
【発明の詳細な説明】
技術分野
この発明は、高速にパケットを送信又は受信するパケット送信装置、パケット受信装置及びパケット伝送システムに関するものである。
背景技術
従来のパケット伝送システムでは、パケット伝送の高速化を図る観点からＳ＆Ｗ方式（Ｓｔｏｐ  ＆  Ｗａｉｔ方式）が有力視されている。
しかし、誤り訂正能力の高い復号（ｔｕｒｂｏ復号）が必要なため、パケット受信装置における復号の処理量が多くなる。したがって、データの復号結果を示す識別信号（ＡＣＫ信号又はＮＡＣＫ信号）を速やかに送信側に返送することができない。
なお、第１図は従来のパケット伝送システムのＡＲＱを示す説明図である。図から明らかなように、パケット受信装置はデータの復号処理が完了すると識別信号をパケット送信装置に送信する。パケット送信装置はＡＣＫ信号を受信すると、次データをパケット受信装置に送信し、ＮＡＣＫ信号を受信すると、先に送信したデータをパケット受信装置に再送する。
従来のパケット伝送システムは以上のように構成されているので、データの復号処理が完了しない限り、識別信号をパケット送信装置に送信しない。したがって、データの復号が成功しないことが明らかであっても（データの復号処理をある程度行えば、復号が成功するか否かを判断することができる）、処理に長時間を要する誤り訂正などの復号処理を実施しなければ、データの再送を要求することができず、パケット伝送の高速化を図ることができない課題があった。
この発明は上記のような課題を解決するためになされたもので、パケット伝送の高速化を図ることができるパケット送信装置、パケット受信装置及びパケット伝送システムを得ることを目的とする。
発明の開示
この発明に係るパケット送信装置は、パケット受信装置から送信される第１の識別信号を受信し、その第１の識別信号が次データの送信を許可する旨を示す場合には次データの送信を送信手段に指示し、その第１の識別信号が次データの送信を拒否する旨を示す場合には当該データの再送を送信手段に指示する第１の制御手段を設けたものである。
このことによって、データを効率よく送信することができる結果、パケット伝送の高速化を図ることができる効果がある。
この発明に係るパケット受信装置は、復号手段による復号処理が完了する前に次データの送信を許可するか否かを示す第１の識別信号をパケット送信装置に送信し、復号手段による復号処理が完了したのち当該復号が成功したか否かを示す第２の識別信号をパケット送信装置に送信する識別信号生成手段を設けたものである。
このことによって、最終的な復号が成功する見込みが少ない場合には、最終的な復号が完了する前に当該データの再送を要求することができるため、パケット伝送の高速化を図ることができる効果がある。
この発明に係るパケット伝送システムは、復号手段による復号処理が完了する前に次データの送信を許可するか否かを示す第１の識別信号を送信し、復号手段による復号処理が完了したのち当該復号が成功したか否かを示す第２の識別信号を送信する識別信号生成手段と、その識別信号生成手段から送信される第１の識別信号を受信し、その第１の識別信号が次データの送信を許可する旨を示す場合には次データの送信を送信手段に指示し、その第１の識別信号が次データの送信を拒否する旨を示す場合には当該データの再送を送信手段に指示する第１の制御手段とを設けたものである。
このことによって、最終的な復号が成功する見込みが少ない場合には、最終的な復号が完了する前に当該データの再送を要求することができるため、パケット伝送の高速化を図ることができる効果がある。
この発明に係るパケット受信装置は、受信手段によるデータの受信結果に基づいて第１の識別信号を生成するようにしたものである。
このことによって、最終的な復号が成功する見込みが少ない場合には、最終的な復号が完了する前に当該データの再送を要求することができる効果がある。
この発明に係るパケット受信装置は、受信手段により受信されたデータの品質情報に基づいて第１の識別信号を生成するようにしたものである。
このことによって、最終的な復号が成功する見込みが少ない場合には、最終的な復号が完了する前に当該データの再送を要求することができる効果がある。
この発明に係るパケット受信装置は、復号手段による復号の途中結果に基づいて第１の識別信号を生成するようにしたものである。
このことによって、最終的な復号が成功する見込みが少ない場合には、最終的な復号が完了する前に当該データの再送を要求することができる効果がある。
この発明に係るパケット受信装置は、復号手段による最終的な復号結果に基づいて第２の識別信号を生成するようにしたものである。
このことによって、適正なデータを受信することができる効果がある。
この発明に係るパケット受信装置は、復号手段の復号処理能力を考慮して第１の識別信号の送信を決定するようにしたものである。
このことによって、パケット受信装置のメモリ量を削減することができる効果がある。
この発明に係るパケット送信装置は、パケット受信装置が現在復号処理を行うことが可能な状態にある場合に限り、データの送信を指示するようにしたものである。
このことによって、パケット受信装置のメモリ量を削減することができる効果がある。
発明を実施するための最良の形態
以下、この発明をより詳細に説明するために、この発明を実施するための最良の形態について、添付の図面に従って説明する。
実施の形態１．
第２図はこの発明の実施の形態１によるパケット送信装置を示す構成図であり、図において、１はデータを入力する入力部、２は入力部１により入力されたデータを蓄積する送信データ蓄積部、３は送信データ蓄積部２に蓄積されているデータの中から、送信対象のデータを選択する送信データ選択部、４は送信データ選択部３により選択されたデータを符号化する誤り訂正符号部、５は誤り訂正符号部４により符号化されたデータを変調する変調部、６は変調部５から出力された変調波をアンテナ７から無線送信させるＲＦ部、７はアンテナである。なお、入力部１、送信データ蓄積部２、送信データ選択部３、誤り訂正符号部４、変調部５、ＲＦ部６及びアンテナ７から送信手段が構成されている。
８はＲＦ部６がパケット受信装置から送信される第１又は第２の識別信号を受信すると、その第１又は第２の識別信号を復調する復調部、９は復調部８により復調された第１の識別信号がＡＣＫ信号である場合には次データの送信を送信データ選択部３に指示し、その第１の識別信号がＮＡＣＫ信号である場合には当該データの再送を送信データ選択部３に指示する第一識別子抽出判定部（第１の制御手段）、１０は復調部８により復調された第２の識別信号がＡＣＫ信号である場合には当該データの廃棄を送信データ蓄積部２に指示し、その第１の識別信号がＮＡＣＫ信号である場合には当該データの再送を送信データ選択部３に指示する第二識別子抽出判定部（第２の制御手段）である。
第３図はこの発明の実施の形態１によるパケット受信装置を示す構成図であり、図において、１１はアンテナ、１２はパケット送信装置から送信されるデータを受信するＲＦ部、１３はＲＦ部１２により受信されたデータを復調する復調部である。なお、アンテナ１１、ＲＦ部１２及び復調部１３から受信手段が構成されている。
１４は復調部１３により復調されたデータを途中まで復号する第一復号部、１５は第一復号部１４に引続いて復号を開始し、最終的な復号結果を得る第二復号部である。なお、第一復号部１４及び第二復号部１５から復号器（復号手段）が構成されている。
１６は第一復号部１４の復号結果に基づいて第１の識別信号を生成する第一識別子生成部、１７は第二復号部１５の復号結果に基づいて第２の識別信号を生成する第二識別子生成部、１８は第１又は第２の識別信号を変調する変調部である。なお、アンテナ１１、ＲＦ部１２、第一識別子生成部１６、第二識別子生成部１７及び変調部１８から識別信号生成手段が構成されている。
第４図及び第５図はこの発明の実施の形態１によるパケット伝送システムの処理内容を示すフローチャート、第６図はパケット伝送システムのＡＲＱを示す説明図である。
次に動作について説明する。
まず、パケット送信装置の入力部１がデータを入力すると、送信データ蓄積部２が当該データを蓄積する（ステップＳＴ１，ＳＴ２）。
送信データ選択部３は、送信データ蓄積部２に蓄積されているデータの中から、送信対象のデータを選択する。ここでは、説明の便宜上、ｓｉｇ−ｎのデータを選択するものとする。
誤り訂正符号部４は、送信データ選択部３が送信対象のデータを選択すると当該データを符号化し、変調部５は、誤り訂正符号部４により符号化されたデータを変調し、ＲＦ部６は、変調部５から出力された変調波をアンテナ７から無線送信させる（ステップＳＴ３〜ＳＴ５）。
一方、パケット受信装置のＲＦ部１２は、パケット送信装置から送信されるデータを受信し、復調部１３は、ＲＦ部１２により受信されたデータを復調する（ステップＳＴ５５）。ただし、パケット受信装置は、適正な識別信号を生成するため、データを受信する前に各種変数等の初期化処理を実施する（ステップＳＴ５１〜ＳＴ５４）。
第一復号部１４は、復調部１３がデータを復調すると、そのデータを途中まで復号する（ステップＳＴ５６）。
第一識別子生成部１６は、例えば、ＣＲＣなどのチェックビットを参照することにより、途中段階までの復号が成功しているか否かを判定する（ステップＳＴ５７）。復号が成功している場合には、第６図に示すように、ＡＣＫ信号を第１の識別信号として生成する（ステップＳＴ５８）。一方、復号が失敗している場合には、以降、復号処理を実施しても無駄になるので、ＮＡＣＫ信号を第１の識別信号として生成する（ステップＳＴ５９）。
なお、ここでは、ＣＲＣなどのチェックビットを参照するものについて示したが、これに限るものではなく、例えば、３ＧＰＰでチャネルの多重情報を伝送しているＴＦＣＩの復号結果や、既知パターンの受信結果などを参照するようにしてもよい。
変調部１８は、第一識別子生成部１６により生成された第１の識別信号を変調し、ＲＦ部１２は、変調部１８から出力された変調波をアンテナ１１から無線送信させる（ステップＳＴ６０）。
パケット送信装置の復調部８は、ＲＦ部６がパケット受信装置から送信される第１の識別信号を受信すると、その第１の識別信号を復調する（ステップＳＴ６）。
第一識別子抽出判定部９は、復調部８により復調された第１の識別信号がＡＣＫ信号であるか、ＮＡＣＫ信号であるかを判定する（ステップＳＴ７）。
第１の識別信号がＡＣＫ信号である場合には、次データの送信を送信データ選択部３に指示する（ステップＳＴ８）。一方、第１の識別信号がＮＡＣＫ信号である場合には、当該データの再送を送信データ選択部３に指示する。
なお、パケット受信装置における第一復号部１４及び第二復号部１５を構成する復号器が複数個用意されている場合において（第６図の例では、３個の復号器が用意されている）、上記の復号を第ｉ番目の復号器が行っているとすると、パケット送信装置は、次データ又は再送データを第ｉ＋１番目の復号器に送信する。第６図の例では、ｄ３のデータの復号が失敗して再送されている。
パケット受信装置の第二復号部１５は、第一識別子抽出判定部９が第１の識別信号を生成して送信すると、第一復号部１４に引続いて復号を開始し、最終的な復号結果を得る（ステップＳＴ６１，ＳＴ６２，ＳＴ１０１，ＳＴ１０２）。
第二識別子生成部１７は、第二復号部１５による最終的な復号が成功しているか否かを判定する（ステップＳＴ１０３）。復号が成功している場合には、第６図に示すように、ＡＣＫ信号を第２の識別信号として生成する（ステップＳＴ１０４）。一方、復号が失敗している場合には、ＮＡＣＫ信号を第２の識別信号として生成する（ステップＳＴ１０５）。
変調部１８は、第二識別子生成部１７により生成された第２の識別信号を変調し、ＲＦ部１２は、変調部１８から出力された変調波をアンテナ１１から無線送信させる（ステップＳＴ１０６，ＳＴ１０７）。
パケット送信装置の復調部８は、ＲＦ部６がパケット受信装置から送信される第２の識別信号を受信すると、その第２の識別信号を復調する（ステップＳＴ１５１）。
第二識別子抽出判定部１０は、復調部８により復調された第２の識別信号がＡＣＫ信号であるか、ＮＡＣＫ信号であるかを判定する（ステップＳＴ１５２）。
第２の識別信号がＡＣＫ信号である場合には、当該データの廃棄を送信データ蓄積部２に指示する（ステップＳＴ１５３）。一方、第２の識別信号がＮＡＣＫ信号である場合には、当該データの再送を送信データ選択部３に指示する（ステップＳＴ１５４）。
以上で明らかなように、この実施の形態１によれば、第一復号部１４の復号が終了すると、次データの送信を許可するか否かを示す第１の識別信号をパケット送信装置に送信するように構成したので、最終的な復号が成功する見込みが少ない場合には、第二復号部１５が復号処理を開始する前に当該データの再送を要求することができる。したがって、パケットの伝送効率が高まるため、パケット伝送の高速化を図ることができる効果を奏する。
実施の形態２．
上記実施の形態１では、復号の途中結果に基づいて第１の識別信号を生成するものについて示したが、ＲＦ部１２によるデータの受信結果に基づいて第１の識別信号を生成するようにしてもよい。
即ち、ＲＦ部１２がデータを正常に受信できればＡＣＫ信号を生成し、データの受信に失敗すればＮＡＣＫ信号を生成するようにする。
これにより、データを正常に受信できない場合には、以降の復号処理を実施する前にデータの再送信を要求することができる。
実施の形態３．
上記実施の形態１では、復号の途中結果に基づいて第１の識別信号を生成するものについて示したが、ＲＦ部１２により受信されたデータの品質情報に基づいて第１の識別信号を生成するようにしてもよい。
例えば、逆拡散の実行により得られる受信データの相関値、受信電界強度、ＳＩＲや多値変調時の理想振幅／理想位相からの距離などを参照して、第１の識別信号を生成するようにする。
このように、データの品質情報を参照すれば、上記実施の形態１と同様に、最終的な復号処理を実施する前に、最終的な復号が成功するか否かを推測することができる。
実施の形態４．
上記実施の形態１では、復号の途中結果に基づいて第１の識別信号を生成するものについて示したが、第一復号部１４及び第二復号部１５を構成する復号器の復号処理能力を考慮して第１の識別信号の送信を決定するようにしてもよい。
例えば、復号器が複数個用意されている場合、現在、未処理中の復号器が存在するか否かを判定し（第７図のステップＳＴ６３）、未処理中の復号器が存在する場合に限り、第１の識別信号をパケット送信装置に送信するようにする（第９図を参照）。
これにより、パケット受信装置のメモリ量を削減することができる効果を奏する。
実施の形態５．
上記実施の形態１では、復号の途中結果に基づいて第１の識別信号を生成するものについて示したが、パケット受信装置が現在復号処理を行うことが可能な状態にある場合に限り、データの送信を指示するようにしてもよい。
例えば、復号器が複数個用意されている場合、現在、未処理中の復号器が存在するか否かを判定し（第１０図のステップＳＴ９）、未処理中の復号器が存在する場合に限り、データの送信を指示するようにしてもよい。
これにより、パケット受信装置のメモリ量を削減することができる効果を奏する。
産業上の利用可能性
以上のように、この発明に係るパケット伝送システム等は、無駄なデータの復号処理を減らして、パケットの伝送速度を高める必要があるシステムに適している。
【図面の簡単な説明】
第１図は従来のパケット伝送システムのＡＲＱを示す説明図である。
第２図はこの発明の実施の形態１によるパケット送信装置を示す構成図である。
第３図はこの発明の実施の形態１によるパケット受信装置を示す構成図である。
第４図はこの発明の実施の形態１によるパケット伝送システムの処理内容を示すフローチャートである。
第５図はこの発明の実施の形態１によるパケット伝送システムの処理内容を示すフローチャートである。
第６図はパケット伝送システムのＡＲＱを示す説明図である。
第７図はこの発明の実施の形態４によるパケット伝送システムの処理内容を示すフローチャートである。
第８図はこの発明の実施の形態４によるパケット伝送システムの処理内容を示すフローチャートである。
第９図はパケット伝送システムのＡＲＱを示す説明図である。
第１０図はこの発明の実施の形態５によるパケット伝送システムの処理内容を示すフローチャートである。
第１１図はこの発明の実施の形態５によるパケット伝送システムの処理内容を示すフローチャートである。
【図１】
2002065734.tif 000003
【図２】
2002065734.tif 000004
【図３】
2002065734.tif 000005
【図４】
2002065734.tif 000006
【図５】
2002065734.tif 000007
【図６】
2002065734.tif 000008
【図７】
2002065734.tif 000009
【図８】
2002065734.tif 000010
【図９】
2002065734.tif 000011
【図１０】
2002065734.tif 000012
【図１１】
2002065734.tif 000013
【国際調査報告】
2002065734.tif 000014
2002065734.tif 000015
2002065734.tif 000016